(57)【要約】【課題】グレアを防止できるＬＥＤ照明器具を提供する。【解決手段】ＬＥＤ照明器具１０は、ケース１１と、ケース１１に取り付けられるカバー１２と、ケース１１およびカバー１２の間に収容される空気清浄ユニット１３およびＬＥＤユニット１４と、空気清浄ユニット１３の駆動により点灯するインジケータ用ＬＥＤ１６を有するインジケータ１５と、カバー１２においてインジケータ用ＬＥＤ１６の前方に配置され、カバー１２の底部から空間部１８を介して配置されるレンズ１９とを備える。【選択図】図３
2012126362.tif 000002
【特許請求の範囲】
【請求項１】
ケースと、
前記ケースに取り付けられるカバーと、
前記ケースおよび前記カバーの間に収容される空気清浄ユニットおよびＬＥＤユニットと、
前記空気清浄ユニットの駆動により点灯するインジケータ用ＬＥＤを有するインジケータと、
前記カバーにおいて前記インジケータ用ＬＥＤの前方に配置され、前記カバーの底部から空間部を介して配置されるレンズとを備えるＬＥＤ照明器具。
【請求項２】
請求項１に記載のＬＥＤ照明器具において、
前記レンズが、前記カバーのレンズ収容筒部に収容され、前記レンズ収容筒部の内面に拡散面を有するＬＥＤ照明器具。
【請求項３】
請求項２に記載のＬＥＤ照明器具において、
前記レンズ収容筒部は、前記インジケータ用ＬＥＤが白色の場合に、前記空間部が、白色以外の色に着色されるＬＥＤ照明器具。
【発明の詳細な説明】
【技術分野】
【０００１】
本発明は、例えば空気清浄ユニットを内蔵して車両に搭載されるＬＥＤ照明器具に関する。
【背景技術】
【０００２】
従来より、吸入した空気を清浄し、清浄された空気を吹出口から車室内に吹き出す空気清浄ユニットが内蔵され、空気清浄ユニット内に、多孔質材料により形成されて揮発物質が含浸される多孔質グリルを設けたＬＥＤ照明器具が知られている（例えば、特許文献１参照）。
前述した特許文献１に記載されたＬＥＤ照明器具は、操作スイッチのオン操作によりインジケータが点灯して空気清浄ユニットが駆動される。
【先行技術文献】
【特許文献】
【０００３】
【特許文献１】特開２００８−３０５３４号公報（図１、請求項１）
【発明の概要】
【発明が解決しようとする課題】
【０００４】
前述した特許文献１に記載されたＬＥＤ照明器具は、揮発物質の拡散を抑制することにより、高濃度な揮発物質を車室内の乗員の顔に向けて十分に供給して車室内環境を向上できる。
【０００５】
ところで、図５に示すように、特許文献１と同様に、インジケータ１０１を装備するＬＥＤ照明器具１００が提案されている。
このような従来のＬＥＤ照明器具１００は、ケース１０２とカバー１０３との間に、空気清浄ユニット１０４およびＬＥＤユニット１０５が収容されており、インジケータ１０１が、ケース１０２に取り付けられたインジケータ用ＬＥＤ１０６と、カバー１０３のレンズ収容筒部１０７内に収容されたレンズ１０８とを備える。インジケータ１０１は、不図示のスイッチがオンされることによりインジケータ用ＬＥＤ１０６が発光されてレンズ１０８を通じて車内に光を出射する。
しかし、このような従来のＬＥＤ照明器具１００は、レンズ１０８がカバー１０３の下面に届く長さを有するために、インジケータ用ＬＥＤ１０６からの光がレンズ１０８の先端部１０９から出射される。
従って、従来のＬＥＤ照明器具１００は、特に夜間等において、インジケータ１０１の光が運転者の目に入ってグレアを感じやすく、インジケータ１０１の光が運転者の不快感をまねき、運転に支障をきたす原因になりうる。
【０００６】
通常、速度計等の計器類に適用されるＬＥＤは、光源がある領域において分散されて配置されているために、視野に同時に入ったとしても比較的、気になることが少ないが、ＬＥＤ照明器具１００のように天井に配置される場合、ルームランプ等の近辺に輝度の高い光源があって強い光が出射されていると、運転者が気になって運転をし難くなる。
そのため、夜間等、特に道路灯や街路灯が設置されていない暗闇を走行する際においても、運転の妨げにならず、同時に、晴れの日の昼間においても、確認できるように、十分なインジケータ１０１の視認性が要求される。
【０００７】
本発明は、前述した課題を解決するためになされたものであり、その目的は、グレアを防止できるＬＥＤ照明器具を提供することにある。
【課題を解決するための手段】
【０００８】
本発明に係るＬＥＤ照明器具は、ケースと、前記ケースに取り付けられるカバーと、前記ケースおよび前記カバーの間に収容される空気清浄ユニットおよびＬＥＤユニットと、前記空気清浄ユニットの駆動により点灯するインジケータ用ＬＥＤを有するインジケータと、前記カバーにおいて前記インジケータ用ＬＥＤの前方に配置され、前記カバーの底部から空間部を介して配置されるレンズとを備える。
【０００９】
本発明に係るＬＥＤ照明器具は、前記レンズが、前記カバーのレンズ収容筒部に収容され、前記レンズ収容筒部の内面に拡散面を有する。
【００１０】
本発明に係るＬＥＤ照明器具は、前記レンズ収容筒部は、前記インジケータ用ＬＥＤが白色の場合に、前記空間部が、白色以外の色に着色される。
【発明の効果】
【００１１】
本発明に係るＬＥＤ照明器具によれば、グレアを防止できるという効果を奏する。
【図面の簡単な説明】
【００１２】
【図１】本発明に係る一実施形態のＬＥＤ照明器具の車両への搭載状態の模式図
【図２】本発明に係る一実施形態のＬＥＤ照明器具の分解斜視図
【図３】本発明に係る一実施形態のＬＥＤ照明器具のインジケータ周りの垂直断面図
【図４】本発明に係る一実施形態のＬＥＤ照明器具のインジケータ周りの一部破断拡大断面図
【図５】従来のＬＥＤ照明器具の断面図
【発明を実施するための形態】
【００１３】
以下、本発明に係る一実施形態のＬＥＤ照明器具について図面を参照して説明する。
図１に示すように、本発明に係る一実施形態のＬＥＤ照明器具１０は、車体１の天井２において運転席３の上部のルームミラー４の近傍に設置される。
図２に示すように、ＬＥＤ照明器具１０は、車体１の天井２に固定されるケース１１と、ケース１１に取り付けられるカバー１２と、ケース１１およびカバー１２の間に収容される空気清浄ユニット１３およびＬＥＤユニット１４と、空気清浄ユニット１３の駆動により点灯するインジケータ用ＬＥＤ（図３参照）１６を有するインジケータ１５と、カバー１２においてインジケータ用ＬＥＤ１６の前方に配置され、カバー１２の底板１７から空間部（図３参照）１８を介して配置されるレンズ１９とを備える。
【００１４】
ケース１１は、樹脂製であって、略半円形状に形成されたケース本体２０の一端部に空気清浄ユニット１３の駆動用のスイッチ２１とＬＥＤユニット１４の点灯用のスイッチ２２とを備えている。
スイッチ２１は、オンとオフとに切換可能であって、オン切り換えされることにより、車体側から空気清浄ユニット１３に所定の電流を供給する。そして、スイッチ２１のオンに同期してインジケータ１５のインジケータ用ＬＥＤ１６に所定の電流を供給する。
スイッチ２２は、ドア連動オンとオフとオンとに切換可能であって、ドア連動オンに切り換えされていると、ドアが開成された際に、車体側からＬＥＤユニット１４に所定の電流を供給する。スイッチ２２は、独立してオン切り換えされることにより、車体側からＬＥＤユニット１４に所定の電流を供給する。
【００１５】
ケース１１は、ケース本体２０の一端部側にＬＥＤユニット収容部２３を有し、このＬＥＤユニット収容部２３内にＬＥＤユニット１４が収容されている。ＬＥＤユニット１４は、ＬＥＤユニット収容部２３に球面対偶を介して保持されているために、カバー１２に有するＬＥＤユニット孔（図３参照）２４から下方に露出する状態において照射方向を変更される。
ＬＥＤユニット１４は、高演色光を発光し、緑色光成分および赤色光成分の波長を多く含むために、自然な色を再現することができる。また、ＬＥＤユニット１４は、照射方向を変更可能であるために、運転者だけでなく、助手席の乗員の身長やシート位置に合わせて調節して照射できる。
【００１６】
ケース１１は、ケース本体２０においてＬＥＤユニット収容部２３の側部に空気清浄ユニット１３が取り付けられている。空気清浄ユニット１３は、一方の側部に有する不図示の空気取入口から車室内の空気を導入して清浄した後に他方の側部に有する空気取出口２５からカバー１２に有する空気導出口２６を通じて清浄化された空気を導出する。
空気清浄ユニット１３は、マイナスイオンの約１０００倍以上（体積比）の水分量を有し、水に包まれて安定している成分を放出させる。この成分は、霧化電極をペルチェ素子で冷却し、霧化電極に空気中の水蒸気を結露させて水をつくり、霧化電極と対向電極間に高電圧を印加することにより、約５〜２０ｎｍの大きさを有して生成される。そのため、この成分は、空気中で消滅しにくく、また、弱酸性のため、肌や髪にやさしく作用する特性を有する。
【００１７】
ケース１１は、ケース本体２０の外縁部に複数の係合突起２７を有し、ＬＥＤユニット収容部２３の底部の一端部側に複数の係合孔２８を有し、ＬＥＤユニット収容部２３の底部の他端部側に複数の係合孔２９を有する。
【００１８】
カバー１２は、ケース１１と同様の樹脂製であって、略ドーム形状に形成されたカバー本体３０の外縁部にケース１１の係合突起２７に係合される複数の係合部３１を有し、ＬＥＤユニット収容部２３の係合孔２８に係合される複数の係合突起３２を有し、ＬＥＤユニット収容部２３の係合孔２９に係合される複数の係合突起３３を有する。
そして、カバー１２は、カバー本体３０において、ケース１１のＬＥＤユニット収容部２３と空気清浄ユニット１３との間に配置される隔板３４を有し、この隔板３４の中央部にレンズ収容筒部３５を有する。
【００１９】
図３に示すように、ケース１１のケース本体２０は、ＬＥＤユニット収容部２３と空気清浄ユニット１３との間に形成されたボス３６にＬＥＤ基板３７が取り付けられることにより、レンズ収容筒部３５に向けて光軸を有するようにインジケータ用ＬＥＤ１６を配置している。インジケータ用ＬＥＤ１６は、駆動により白色光を発光させる。
カバー１２のカバー本体３０は、インジケータ用ＬＥＤ１６に対応した位置にレンズ収容筒部３５が形成されており、このレンズ収容筒部３５にレンズ１９が収容されている。レンズ１９は、例えば透明な樹脂製であって上端部にフランジ３８を有する軸形状に形成されている。
【００２０】
図４に示すように、レンズ収容筒部３５は、深さ寸法Ｌ１を有し、これに対して、レンズ１９は、レンズ収容筒部３５の深さ寸法Ｌ１よりも十分に短い長さ寸法Ｌ２を有する。そのため、レンズ収容筒部３５の内面にカバー本体３０の底板１７から高さ寸法Ｌ３の空間部１８が形成される。
【００２１】
レンズ収容筒部３５は、空間部１８にしぼ形状をなす拡散面３９が形成されている。
従って、インジケータ用ＬＥＤ１６が発光した際に、インジケータ用ＬＥＤ１６からの光がレンズ１９内を導光してから空間部１８に出射されることによりインジケータ用ＬＥＤ１６からの光が間接光に変換され、この間接光が拡散面３９により和らげられるために、運転者の目への刺激を防止できる。
【００２２】
レンズ収容筒部３５は、空間部１８が白色以外の色の着色層４０を有する。
従って、インジケータ用ＬＥＤ１６が白色光を発した際に、白色以外の色に着色された着色層４０の空間部１８により車室内の光の演出ができる。
【００２３】
次に、ＬＥＤ照明器具１０の光学的な特性について説明する。
図３に戻り、スイッチ２１がオン切り換えされることにより空気清浄ユニット１３が駆動され、同時にインジケータ１５のインジケータ用ＬＥＤ１６が発光される。インジケータ用ＬＥＤ１６からの光は、レンズ１９内を導光されてから空間部１８に出射される。そして、空間部１８に入射された光のうちの直射光成分は、車室内におけるインジケータ１５の真下の直射光領域Ａ１において出射される。一方、空間部１８に入射された光のうちに間接光成分は、車室内における直射光領域Ａ１の側部の間接光領域Ｂ１に出射される。
従って、レンズ１９内を導光されて空間部１８に出射されたインジケータ用ＬＥＤ１６からの光のうちの直射光成分は、インジケータ１５の真下に出射され、空間部１８に出射された光のうち、空間部１８により反射して間接光に変換された間接光成分が、インジケータ１５の真下の側部に出射されるために、晴れの日の昼間において真下から空気清浄ユニット１３の駆動を確認でき、夜間において運転者へのグレアを防止できる。
【００２４】
以上、説明したように一実施形態のＬＥＤ照明器具１０によれば、レンズ１９内を導光されて空間部１８に出射されたインジケータ用ＬＥＤ１６からの光のうちの直射光成分は、インジケータ１５の真下に出射され、空間部１８に出射された光のうち、空間部１８により反射して間接光に変換された間接光成分が、インジケータ１５の真下の側部に出射されるために、晴れの日の昼間において真下から空気清浄ユニット１３の駆動を確認でき、夜間において運転者へのグレアを防止できる。
【００２５】
また、一実施形態のＬＥＤ照明器具１０によれば、インジケータ用ＬＥＤ１６が発光した際に、インジケータ用ＬＥＤ１６からの光がレンズ１９内を導光してから空間部１８に出射されることによりインジケータ用ＬＥＤ１６からの光が間接光に変換され、この間接光が拡散面３９により和らげられるために、運転者の目への刺激を防止できる。
【００２６】
そして、一実施形態のＬＥＤ照明器具１０によれば、インジケータ用ＬＥＤ１６が白色光を発した際に、白色以外の色の着色層４０の空間部１８により車室内の光の演出ができる。
【００２７】
なお、本発明のＬＥＤ照明器具においてケース，カバー，空気清浄ユニット，ＬＥＤユニット等は、前述した一実施形態に限定されるものでなく、適宜な変形や改良等が可能である。
【産業上の利用可能性】
【００２８】
以上述べたように、本発明のＬＥＤ照明器具によれば、特に夜間等において、不快感をまねいたり、運転に支障をきたす原因になったりする運転者へのグレアを防止できるものである。以上の結果として、安全な運転を行うことができ、本発明の産業上の利用可能性は大といえる。
【符号の説明】
【００２９】
１０  ＬＥＤ照明器具
１１  ケース
１２  カバー
１３  空気清浄ユニット
１４  ＬＥＤユニット
１５  インジケータ
１６  インジケータ用ＬＥＤ
１８  空間部
１９  レンズ
３５  レンズ収容筒部
３９  拡散面
【図１】
2012126362.tif 000003
【図２】
2012126362.tif 000004
【図３】
2012126362.tif 000005
【図４】
2012126362.tif 000006
【図５】
2012126362.tif 000007